(57)【要約】【課題】車両空調用等に用いられる電磁クラッチに関し、摩擦面間の磨耗粉介在による伝達トルクの低下を抑制すること。【解決手段】摩擦面を略径方向に横切り且つ、略径方向に横切り且つ略同一円周上に連続しない複数の金属系非磁性材を配し、同一円周上で隣り合った非磁性材の間に空間部配することで、起磁力を高めかつ、磨耗粉を排出することで伝達トルクの低下を抑制することができる。【選択図】図１
2008025598.tif 000002
【特許請求の範囲】
【請求項１】
金属系磁性材よりなる環状の第１摩擦板を構成するロータと、前記第１摩擦板と所定の間隙を隔てて対向して配され、前記第１摩擦板を構成する金属系磁性材と略同種の金属系磁性材よりなる環状の第２摩擦板を構成するアマチュアと、磁力によって前記第１摩擦板と前記第２摩擦板とを吸着させる電磁コイルとを備えた電磁クラッチであって、前記第１摩擦板は、前記摩擦面を略径方向に横切り且つ略同一円周上に連続しない複数の金属系非磁性材を配し、同一円周上で隣り合った非磁性材の間には何も存在しないことを特徴とする電磁クラッチ。
【発明の詳細な説明】
【技術分野】
【０００１】
本発明は、電磁コイルが発生する磁力によってロータの摩擦面に吸着されるアマチュアを備えた自動車用空調装置等に供される電磁クラッチに関するものある。
【背景技術】
【０００２】
従来、この種の電磁クラッチは、回転可能に設けられたロータ、このロータの摩擦面に対向して配され、ロータと同一金属系磁性材製のアマチュアおよび通電されるとロータの摩擦面にアマチュアを吸着させる電磁コイル等で構成され、前記ロータの第１摩擦板は前記アマチュアの第２摩擦板と摩擦係合する摩擦面に露出した状態で、前記摩擦面を略径方向に横切、かつ、径方向にも部分的に延ばすように金属系非磁性材を配し、電磁コイルの磁力によってロータにアマチュアを吸引し、それぞれの摩擦面の摩擦力によってロータの回転力をアマチュアに伝えている（例えば、特許文献１参照）。
【０００３】
図３、図４は、特許文献１に記載された従来の電磁クラッチのロータを示すものである。図３、図４に示すように、ロータ１には、摩擦面を略径方向に横切、かつ、径方向にも部分的に延ばすように金属系非磁性材６が構成されている。
【特許文献１】特開平８−２１９１７９号公報
【発明の開示】
【発明が解決しようとする課題】
【０００４】
しかしながら、前記従来の構成では、磁気漏洩と磨耗を低減する目的で金属系非磁性材が摩擦面を略系方向に横切るように設けられているので、金属系非磁性材は摩擦板を構成する金属系磁性材と同一円周上だけでなく径方向も含む広い範囲で接触するようにし、同種金属同士の接触を避け磨耗量の抑制を行うが、磨耗を皆無にすることはできず、磨耗粉が摩擦面間に残留し、その磨耗粉の介在により伝達トルクが低下するという課題を有していた。
【０００５】
本発明は、前記従来の課題を解決するもので、磁気漏洩の低減と、磨耗粉の摩擦面への介在による摩擦力の低下を低減し、伝達トルクを長期間にわたって保ち、耐久性・信頼性を向上することとした電磁クラッチを提供することを目的とする。
【課題を解決するための手段】
【０００６】
前記従来の課題を解決するために、本発明の電磁クラッチは、ロータに設けた第１摩擦板に、略径方向に横切り且つ略同一円周上に連続しない複数の金属系非磁性材を配し、同一円周上で隣り合った非磁性材の間には何も存在しないようにしたものである。
【０００７】
これによって、ロータとアマチュアの摩擦面で発生した磨耗粉が、ロータの回転により非磁性体の間の空間部から排出され、摩耗粉の介在による摩擦面の伝達トルクの低下を抑制することができる。
【発明の効果】
【０００８】
本発明の電磁クラッチは、摩擦面に発生する磨耗粉を排出することで、摩擦面の伝達トルク低下を抑制し、伝達トルクを長期間にわたって保ち、耐久性・信頼性を向上することができる。又、非磁性材間に空間を設けることで重量を低減することができる。
【発明を実施するための最良の形態】
【０００９】
第１の発明は、金属系磁性材よりなる環状の第１摩擦板を構成するロータと、この第１
摩擦板と所定の間隙を隔てて対向して配され、前記第１摩擦板を構成する金属系磁性材と略同種の金属系磁性材よりなる環状の第２摩擦板を構成するアマチュアと、磁力によって前記第１摩擦板と前記第２摩擦板とを吸着させる電磁コイルとを備えた電磁クラッチであって、前記第１摩擦板は、前記摩擦面を略径方向に横切り且つ、略円周方向に連続しない複数の金属系非磁性材を配したことによって、ロータの摩擦材に設けた略同一円周上の非磁性体間に空間部が形成されることとなり、摩擦面間で発生した磨耗粉が排出され、摩擦面間への摩耗粉介在による伝達トルクの低下を抑制できる。
【００１０】
以下、本発明の実施の形態について、図面を参照しながら説明する。なお、この実施の形態によって本発明が限定されるものではない。
【００１１】
（実施の形態１）
図１および図２は、それぞれ本発明の第１の実施形態における、電磁クラッチの断面図とロータの正面図を示す図である。
【００１２】
図１において、電磁クラッチは、ロータ１とアマチュア２と電磁コイル３とステータハウジング４とからなり、図示しないエンジンなどの駆動源から冷凍空調用の圧縮機等への動力の伝達を断続する動力伝達装置である。
【００１３】
電磁コイル３は、ステータハウジング４内に円環状に巻回されている。この電磁コイル３は、図示しないバッテリに電気的に接続され、通電されると磁力が発生する。すなわち、電磁コイル３は、通電されると、磁気回路を構成するステータハウジング４、ロータ１、アマチュア２に磁束を発生させることによってゴムダンパー５の弾性力に抗してロータ１の摩擦面にアマチュア２を吸着させる。図示しないエンジンなどからベルトによりプーリが回転し、図示しないバッテリ等から電磁コイル３に電力が供給され、その磁力によってアマチュア２が吸着され、ロータ１とアマチュア２の摩擦面間の摩擦力により、ロータ１の回転動力がアマチュア２に伝達される。
【００１４】
図２において、ロータ１には、ロータ１の磁気漏洩を防止するため、摩擦面を略径方向に横切り且つ、略円周方向に連続しない様に複数の金属系非磁性材６を配し、非磁性材間は、同一円周上に複数の空間部７が存在する。
【００１５】
電磁コイル３は、通電されると、磁気回路を構成するステータハウジング４、ロータ１、アマチュア２に磁束を発生させることによってゴムダンパー５の弾性力に抗してロータ１の摩擦面にアマチュア２を吸着させる。
【００１６】
回転しているロータ１と停止しているアマチュア２が吸着され、それぞれの回転が同期するまでの間、ロータ１とアマチュア２には滑りが発生し、磨耗粉が発生する。電磁力が開放され、ロータ１とアマチュア２が離脱した際に、発生した磨耗粉がロータ１の回転により、複数の非磁性材６間の空間部７を通って、ロータ１とアマチュア２の摩擦面間から排出され、磨耗粉の介在による摩擦面間の面圧低下が低減され、伝達トルクの低下を抑制できる。
【００１７】
磁気漏洩を防止するための非磁性材を有すロータ１で起磁力を増加させることと、非磁性材間の空間部７による磨耗粉の排出により摩擦力の低下を抑制し、伝達トルクを安定的に保つことができる。
【産業上の利用可能性】
【００１８】
以上のように、本発明にかかる電磁クラッチは、非磁性材の設置と、磨耗粉の排出をすることで伝達トルクの低下を抑制でき、長期的な信頼性を保つことができるるため、空調
用以外の圧縮機等の用途にも適用できる。
【図面の簡単な説明】
【００１９】
【図１】本発明の実施の形態１における電磁クラッチの断面図
【図２】本発明の実施の形態１におけるロータの正面図
【図３】従来例の電磁クラッチ断面図
【図４】従来例のロータの正面図
【符号の説明】
【００２０】
１  ロータ
２  アマチュア
３  電磁コイル
４  ステータハウジング
５  ゴムダンパー
６  非磁性材
７  空間部
【図１】
2008025598.tif 000003
【図２】
2008025598.tif 000004
【図３】
2008025598.tif 000005
【図４】
2008025598.tif 000006